(57)【要約】【課題】電力供給者が電力の供給先を容易に決定できる電力需給仲介装置を提供する。【解決手段】電力需給仲介装置１０が、電力供給者２０から電力供給条件に関する情報を受け付けて電力供給者２０と関連付けて記憶させる供給条件受付手段１１と、運ばれてきた蓄電装置２３Ａ〜２３Ｃと電気的に接続されたときに蓄電装置２３Ａ〜２３Ｃから電力を受電可能な受電装置３１Ａ〜３１Ｃを有する電力需要者３０から少なくとも電力需要者３０の名称を含む電力需要情報を受け付けて電力需要者３０と関連付けて記憶手段１５に記憶させる需要情報受付手段１２と、電力需要情報と電力供給条件とを対比して、一の電力供給者２０から受け付けた電力供給条件を満足する電力需要情報を抽出し、抽出した電力需要情報を提供情報として決定する提供情報決定手段１３と、提供情報決定手段１３が決定した提供情報を、一の電力供給者２０に伝達する提供情報伝達手段１４とを備える。【選択図】図１
2014187796.tif 000002
【特許請求の範囲】
【請求項１】
発電装置を有する複数の電力供給者と複数の電力需要者との間での電力の需給を仲介する電力需給仲介装置であって、
前記発電装置と当該発電装置の発電電力を蓄電可能で移動可能な蓄電装置とを有する前記電力供給者から、前記蓄電装置から電力を外部に供給する場合の電力供給条件に関する情報を受け付けて、当該電力供給者と関連付けて記憶手段に記憶させる供給条件受付手段と、
運ばれてきた前記蓄電装置と電気的に接続されたときに当該蓄電装置から電力を受電可能な受電装置を有する前記電力需要者から、電力を受電したときに前記電力供給者に渡す対価、及び、前記受電装置が設置されている場所、及び、電力を受電する時間帯、及び、前記電力需要者の名称のうち、少なくとも前記電力需要者の名称を含む電力需要情報を受け付けて、当該電力需要者と関連付けて前記記憶手段に記憶させる需要情報受付手段と、
前記記憶手段に記憶している前記電力需要情報と前記記憶手段に記憶している前記電力供給条件とを対比して、一の前記電力供給者から受け付けた前記電力供給条件を満足する前記電力需要情報を抽出し、抽出した前記電力需要情報を提供情報として決定する提供情報決定手段と、
前記提供情報決定手段が決定した前記提供情報を、前記一の電力供給者に伝達する提供情報伝達手段とを備える電力需給仲介装置。
【請求項２】
前記提供情報決定手段は、前記需要情報受付手段が前記電力需要情報を受け付けると、前記記憶手段に記憶されている前記電力供給条件に関する情報の中から当該電力需要情報によって満足される電力供給条件に関する情報を抽出して、当該電力需要情報を前記提供情報として決定し、
前記提供情報伝達手段は、前記提供情報決定手段が前記電力需要情報によって満足されるとして抽出した前記電力供給条件に関する情報を入力した電力供給者に対して前記提供情報を伝達する請求項１に記載の電力需給仲介装置。
【請求項３】
前記提供情報決定手段は、前記供給条件受付手段が特定の前記電力供給者から前記電力供給条件に関する情報を受け付けると、前記記憶手段に記憶されている前記電力需要情報の中から当該電力供給条件を満足する電力需要情報を抽出して、当該電力需要情報を前記提供情報として決定し、
前記提供情報伝達手段は、前記特定の電力供給者に対して前記提供情報を伝達する請求項１に記載の電力需給仲介装置。
【請求項４】
所定の前記電力供給者は、所定の前記電力需要者の前記受電装置の設置場所に通う者である請求項１〜３の何れか一項に記載の電力需給仲介装置。
【発明の詳細な説明】
【技術分野】
【０００１】
本発明は、発電装置を有する複数の電力供給者と複数の電力需要者との間での電力の需給を仲介する電力需給仲介装置に関する。
【背景技術】
【０００２】
特許文献１には、発電装置を有する電力供給者と電力需要者とが電力の売買交渉を行って、売買契約が成立すれば電力の売買を行うことが記載されている。また、電力供給者から電力需要者へ電力を渡す手法として、車両に搭載される蓄電装置を用いて、電力供給者から電力需要者へ電力を運ぶ手法が記載されている。
【先行技術文献】
【特許文献】
【０００３】
【特許文献１】特開２０１１−２２７８３７号公報（図１３、段落００４６〜段落００４８）
【発明の概要】
【発明が解決しようとする課題】
【０００４】
特許文献１に記載のシステムは、電力供給者と電力需要者とが一対一で電力売買の交渉を行うように構成されている。つまり、電力を売ろうとしたとき、電力供給者は、電力需要者に対して個別に電力の売買交渉を行う必要がある。従って、ある電力需要者との間での電力売買の交渉が成立しなかった場合は、別の電力需要者との間での電力売買の交渉を行う必要が生じる。そして、電力供給者は、複数の電力需要者との間で順番に何度も電力売買の交渉を行わねばならない可能性もある。
【０００５】
本発明は、上記の課題に鑑みてなされたものであり、その目的は、電力供給者が電力の供給先を容易に決定できる電力需給仲介装置を提供する点にある。
【課題を解決するための手段】
【０００６】
上記目的を達成するための本発明に係る電力需給仲介装置の特徴構成は、発電装置を有する複数の電力供給者と複数の電力需要者との間での電力の需給を仲介する電力需給仲介装置であって、
前記発電装置と当該発電装置の発電電力を蓄電可能で移動可能な蓄電装置とを有する前記電力供給者から、前記蓄電装置から電力を外部に供給する場合の電力供給条件に関する情報を受け付けて、当該電力供給者と関連付けて記憶手段に記憶させる供給条件受付手段と、
運ばれてきた前記蓄電装置と電気的に接続されたときに当該蓄電装置から電力を受電可能な受電装置を有する前記電力需要者から、電力を受電したときに前記電力供給者に渡す対価、及び、前記受電装置が設置されている場所、及び、電力を受電する時間帯、及び、前記電力需要者の名称のうち、少なくとも前記電力需要者の名称を含む電力需要情報を受け付けて、当該電力需要者と関連付けて前記記憶手段に記憶させる需要情報受付手段と、
前記記憶手段に記憶している前記電力需要情報と前記記憶手段に記憶している前記電力供給条件とを対比して、一の前記電力供給者から受け付けた前記電力供給条件を満足する前記電力需要情報を抽出し、抽出した前記電力需要情報を提供情報として決定する提供情報決定手段と、
前記提供情報決定手段が決定した前記提供情報を、前記一の電力供給者に伝達する提供情報伝達手段とを備える点にある。
【０００７】
上記特徴構成によれば、提供情報決定手段が、記憶手段に記憶している電力需要情報及び電力供給条件を対比することで、一の電力供給者から受け付けた電力供給条件を満足する電力需要情報を抽出し、提供情報伝達手段が、その抽出された電力需要情報を提供情報として電力供給者へ伝達する。つまり、電力を供給できる電力供給者に対して、電力の供給を受けたい複数の電力需要者の中から、電力供給者自身の電力供給条件に合う電力需要情報を有する電力需要者を紹介することができる。
加えて、電力供給者は、電力需要者の電力受入場所（即ち、受電装置の設置場所）に蓄電装置を運ぶことで電力供給者から電力需要者に電力を供給できる。つまり、電力供給者と電力需要者との間に送配電線は不要となるため、電力の需給を自由に行うことができる。
従って、電力供給者が電力の供給先を容易に決定できる電力需給仲介装置を提供できる。
【０００８】
本発明に係る電力需給仲介装置の別の特徴構成は、前記提供情報決定手段は、前記需要情報受付手段が前記電力需要情報を受け付けると、前記記憶手段に記憶されている前記電力供給条件に関する情報の中から当該電力需要情報によって満足される電力供給条件に関する情報を抽出して、当該電力需要情報を前記提供情報として決定し、
前記提供情報伝達手段は、前記提供情報決定手段が前記電力需要情報によって満足されるとして抽出した前記電力供給条件に関する情報を入力した電力供給者に対して前記提供情報を伝達する点にある。
【０００９】
上記特徴構成によれば、提供情報決定手段は、需要情報受付手段が電力需要情報を受け付けたとき、記憶手段に記憶されている電力供給条件に関する情報の中からその電力需要情報によって満足される電力供給条件に関する情報を抽出して、その電力需要情報を提供情報として決定する。つまり、電力供給者は、記憶手段に予め自身の電力供給条件を記憶させておけば、その後に、自身の電力供給条件を満足する電力需要情報が記憶手段に記憶された時点で、その電力需要情報（提供情報）の伝達を受けることができる。
【００１０】
本発明に係る電力需給仲介装置の更に別の特徴構成は、前記提供情報決定手段は、前記供給条件受付手段が特定の前記電力供給者から前記電力供給条件に関する情報を受け付けると、前記記憶手段に記憶されている前記電力需要情報の中から当該電力供給条件を満足する電力需要情報を抽出して、当該電力需要情報を前記提供情報として決定し、
前記提供情報伝達手段は、前記特定の電力供給者に対して前記提供情報を伝達する点にある。
【００１１】
上記特徴構成によれば、提供情報決定手段は、供給条件受付手段が特定の電力供給者から電力供給条件に関する情報を受け付けたとき、記憶手段に記憶されている電力需要情報の中からその電力供給条件を満足する電力需要情報を抽出して、その電力需要情報を提供情報として決定する。つまり、電力供給者は、記憶手段に予め電力需要情報が記憶されていれば、その後に、自身が電力供給条件を電力需給仲介装置に提供して記憶手段に記憶させた時点で、その条件を満足する電力需要情報（提供情報）の伝達を受けることができる。
【００１２】
本発明に係る電力需給仲介装置の更に別の特徴構成は、所定の前記電力供給者は、所定の前記電力需要者の前記受電装置の設置場所に通う者である点にある。
【００１３】
所定の電力供給者は、所定の電力需要者の受電装置の設置場所へ行く度に、蓄電装置に蓄電されている電力を所定の電力需要者へ渡すことは可能であるが、所定の電力供給者が所定の電力需要者の受電装置の設置場所へ行ったタイミングが、所定の電力需要者にとって電力の供給を受けるには好ましくないタイミングである可能性もある。
ところが本特徴構成によれば、所定の電力供給者は、予め電力需給仲介装置を利用して、所定の電力需要者の電力需要情報が所定の電力供給者の電力供給条件を満足することを確認した上で、即ち、所定の電力需要者の都合（即ち、電力需要情報）を確認した上で、所定の電力需要者の受電装置の設置場所に行くことができる。その結果、所定の電力需要者にとって電力の供給を受けるのに好ましいタイミングで、所定の電力供給者から所定の電力需要者に対しして電力の供給が行われることになる。
【図面の簡単な説明】
【００１４】
【図１】電力需給仲介装置を有する電力需給仲介システムの構成を示す図である。
【発明を実施するための形態】
【００１５】
以下に図面を参照して本発明に係る電力需給仲介装置１０について説明する。
図１は、電力需給仲介装置１０を有する電力需給仲介システムの構成を示す図である。図示するように、電力需給仲介装置１０は、発電装置２１（２１Ａ〜２１Ｃ）を有する複数の電力供給者２０（２０Ａ〜２０Ｃ）と複数の電力需要者３０（３０Ａ〜３０Ｃ）との間での電力の需給を仲介するために用いられる。ここでは電力供給者２０と記載しているが、本願における電力供給者とは、電力供給を目的・事業とする者を意味せず、後述するように、発電装置２１及び蓄電装置２３を備え、その余剰電力を蓄電装置２３に蓄電した上で他者へ供給できるような者を意味する。
【００１６】
具体的には、電力需給仲介装置１０は、供給条件受付手段１１と、需要情報受付手段１２と、提供情報決定手段１３と、提供情報伝達手段１４とを備える。加えて、本実施形態の電力需給仲介装置１０は、記憶手段１５も備える。このような電力需給仲介装置１０は、例えば一般的に用いられるコンピュータ装置が有する機能を用いて実現できる。
【００１７】
図１には、電力供給者２０（２０Ａ〜２０Ｃ）を例示している。
電力供給者２０（２０Ａ〜２０Ｃ）は、発電装置２１（２１Ａ〜２１Ｃ）と、その発電装置２１の発電電力を蓄電可能で且つ移動可能な蓄電装置２３（２３Ａ〜２３Ｃ）とを有する。発電装置２１としては、例えば、燃料電池発電装置、エンジンなどの原動機によって駆動される発電機、太陽光発電装置など、様々な種類の装置を用いることができる。電力供給者２０はその構内の電力線（図示せず）に接続される電力消費装置なども有し、その電力線には上記発電装置２１が接続されている。その結果、発電装置２１の発電電力は電力線を介して電力消費装置にも供給される。また、電力線には蓄電装置２３を接続できる。その結果、発電装置２１から電力線に供給された電力、或いは、電力消費装置で消費されずに余った余剰電力を、その電力線を介して蓄電装置２３へ蓄電できる。或いは、商用電力系統が電力供給者２０の構内の上記電力線に接続されている場合には、商用電力系統から受電した電力を、電力線を介して蓄電装置２３へ蓄電できる。
【００１８】
移動可能な蓄電装置２３は、それ単体で設置されて利用されるような場合や、車両２２に搭載されて利用されるような場合がある。
例えば、電力供給者２０Ｂでは、可搬型の蓄電装置２３Ｂが設置されている。この可搬型の蓄電装置２３Ｂは、単体で設置されている場合や、何らかの電気機器に対して取り外し可能な状態で付属して設置されている場合などがある。但し、蓄電装置２３Ｂを台車などの移動体に搭載して或いはそのような移動体に搭載せずに人間が移動させることができる。この場合、蓄電装置２３Ｂを上記電力線に接続すると、蓄電装置２３Ｂから電力線への電力供給や、蓄電装置２３Ｂへの余剰電力の供給などを行うことができる。また、可搬型の蓄電装置２３Ｂを電力供給者２０Ｂの外部へ持ち出して、様々な電気機器にとっての電源として利用することや、後述するように電力需要者３０への給電に利用することもできる。
電力供給者２０Ａ、２０Ｃでは、車両２２Ａ、２２Ｃ（２２）のそれぞれが、蓄電装置２３Ａ、２３Ｃを搭載し且つその蓄電装置２３Ａ、２３Ｃに蓄電されている電力を利用して走行可能に構成されている。つまり、蓄電装置２３（２３Ａ、２３Ｃ）は車両２２（２２Ａ、２２Ｃ）に搭載された状態で移動可能になっている。例えば、車両２２（２２Ａ、２２Ｃ）は、蓄電装置２３（２３Ａ、２３Ｃ）に蓄電されている電力によって駆動するモーターのみを動力源として走行する電気自動車や、燃料を消費して駆動する原動機と上記モーターとを併用して走行する所謂ハイブリッド車両などである。或いは、蓄電装置２３（２３Ａ、２３Ｃ）と燃料電池発電装置とを搭載し、燃料電池発電装置からの発電電力又は蓄電装置２３（２３Ａ、２３Ｃ）に蓄電されている電力によってモーターが駆動されて走行可能になるような車両であってもよい。
【００１９】
電力需要者３０（３０Ａ〜３０Ｃ）は受電装置３１（３１Ａ〜３１Ｃ）を有し、その受電装置３１に、電力供給者２０が運んできた又は車両２２に搭載された状態で運ばれてきた蓄電装置２３が電気的に接続されると、蓄電装置２３から電力の供給を受けることができるように構成されている。受電装置３１は、電力需要者３０の構内に設置されている電力線（図示せず）に接続される。そして、その電力線に接続される電力消費装置によって、蓄電装置２３から供給された電力が消費される。また、電力需要者３０は電力線に接続される蓄電部（図示せず）を備えていてもよい。このような蓄電部を備えていると、電力供給者２０の蓄電装置２３から電力の供給を受けたときにその供給電力を蓄電部に蓄え、必要に応じてその電力を電力消費装置で利用することができる。
【００２０】
図１には、電力需要者３０（３０Ａ〜３０Ｃ）を例示している。各電力需要者３０（３０Ａ〜３０Ｃ）は、受電装置３１（３１Ａ〜３１Ｃ）を備えている。また、図１では、電力需要者３０Ａの名称が「ＡＡ小学校」であり、電力需要者３０Ｂの名称が「ＢＢスーパーマーケット」であり、電力需要者３０Ｃの名称が「ＣＣ工場」である場合を例示している。
【００２１】
電力需給仲介装置１０が備える供給条件受付手段１１は、発電装置２１とその発電装置２１の発電電力を蓄電可能で移動可能な蓄電装置２３を有する電力供給者２０から、蓄電装置２３から電力を外部に供給する場合の電力供給条件に関する情報を受け付けて、その電力供給者２０と関連付けて記憶手段１５に記憶させる。
【００２２】
図１に示す例では、記憶手段１５に記憶されている電力供給条件の例を記載する。この電力供給条件は、対価（電力を供給したときに受け取る対価）、場所（受電装置３１が設置されている場所）、時間帯（電力を供給する時間帯）、名称（電力需要者３０の名称）などの項目を含む。
【００２３】
例えば、電力供給者２０は、電力を高く売りたいならば電力供給条件において対価を高く指定すればよい。或いは、電力供給者２０は、電力を供給するために遠く離れた場所へ出向くのを好まないのであれば、電力供給条件において所望の場所（例えば、都合の良い近くの場所など）を指定すればよい。また或いは、電力供給者２０は、電力供給のために蓄電装置２３を持参する又は車両２２で出向くのに都合の悪い時間帯があるならば、電力供給条件において都合の良い時間帯を指定すればよい。また或いは、電力供給者２０は、電力を供給する電力需要者３０を既に決めているならば、電力供給条件においてその電力需要者３０の名称を指定すればよい。
【００２４】
電力供給者２０Ａから供給条件受付手段１１が受け付けて記憶手段１５に記憶した電力供給条件は、「名称に「学校」を含む」である。
電力供給者２０Ｂから供給条件受付手段１１が受け付けて記憶手段１５に記憶した電力供給条件は、「対価が１２円／ｋＷｈ以上。場所がＢＢ市。」である。
電力供給者２０Ｃから供給条件受付手段１１が受け付けて記憶手段１５に記憶した電力供給条件は、「対価が５円／ｋＷｈ以上」である。
このように、電力供給者２０が指定する電力供給条件は、上述した全ての項目についての指定を含んでいなくてもよく、少なくとも一つ以上の項目を含んでいればよい。
【００２５】
電力需給仲介装置１０が備える需要情報受付手段１２は、電力供給者２０が運んできた又は車両２２に搭載されて運ばれてきた蓄電装置２３と電気的に接続されたときにその蓄電装置２３から電力を受電可能な受電装置３１を有する電力需要者３０から、電力を受電したときに電力供給者２０に渡す対価、及び、受電装置３１が設置されている場所、及び、電力を受電する時間帯、及び、電力需要者３０の名称のうち、少なくとも電力需要者３０の名称を含む電力需要情報を受け付けて、その電力需要者３０と関連付けて記憶手段１５に記憶させる。
【００２６】
図１に示す例では、記憶手段１５に記憶されている電力需要情報の例を記載する。この電力需要情報は、対価（電力を受電したときに電力供給者２０に渡す対価）、場所（受電装置３１が設置されている場所）、時間帯（電力を受電する時間帯）、名称（電力需要者３０の名称）などの項目を含む。
電力需要者３０Ａ（ＡＡ小学校）から需要情報受付手段１２が受け付けて記憶手段１５に記憶した電力需要情報は、「名称がＡＡ小学校。対価が０円／ｋＷｈ。場所がＡＡ市。時間帯が９：００〜１７：００」である。
電力需要者３０Ｂ（ＢＢスーパーマーケット）から需要情報受付手段１２が受け付けて記憶手段１５に記憶した電力需要情報は、「名称がＢＢスーパーマーケット。対価が１０円／ｋＷｈ以下。場所がＢＢ市。時間帯が１１：００〜１５：００」である。
電力需要者３０Ｃ（ＣＣ工場）から需要情報受付手段１２が受け付けて記憶手段１５に記憶した電力需要情報は、「名称がＣＣ工場。対価が８円／ｋＷｈ以下。場所がＣＣ市。時間帯が１３：００〜１５：００」である。
このように、電力需要者３０が指定する電力需要情報は、上述した全ての項目についての指定を含んでいなくてもよく、少なくとも電力需要者３０の名称を含んでいればよい。電力需要情報に電力需要者３０の名称さえ含まれていれば、電力供給者２０はその電力需要者３０を特定でき、電力需要者３０の受電装置３１の設置場所に出向くことができる。
【００２７】
電力需給仲介装置１０が備える提供情報決定手段１３は、記憶手段１５に記憶している電力需要情報と記憶手段１５に記憶している電力供給条件とを対比して、一の電力供給者２０から受け付けた電力供給条件を満足する電力需要情報を抽出し、抽出した電力需要情報を提供情報として決定する。図１に示した例では、電力需要者３０Ａ（ＡＡ小学校）の電力需要情報が電力供給者２０Ａの電力供給条件を満足し、電力需要者３０Ｃ（ＣＣ工場）の電力需要情報が電力供給者２０Ｃの電力供給条件を満足している。その結果、提供情報決定手段１３は、電力需要者３０Ａ（ＡＡ小学校）の電力需要情報を電力供給者２０Ａへの提供情報として決定し、電力需要者３０Ｃ（ＣＣ工場）の電力需要情報を電力供給者２０Ｃへの提供情報として決定する。
【００２８】
電力需給仲介装置１０が備える提供情報伝達手段１４は、提供情報決定手段１３が決定した提供情報を、一の電力供給者２０に伝達する。図１に示した例では、提供情報伝達手段１４は、電力供給者２０Ａへの提供情報として決定した電力需要者３０Ａ（ＡＡ小学校）の電力需要情報を通信回線１を介して電力供給者２０Ａへ伝達し、電力供給者２０Ｃへの提供情報として決定した電力需要者３０Ｃ（ＣＣ工場）の電力需要情報を通信回線１を介して電力供給者２０Ｃへ伝達する。
【００２９】
図１には、電力需給仲介装置１０の提供情報伝達手段１４から提供情報の伝達を受けた後、電力供給者２０Ｃの車両２２Ｃが、電力需要者３０Ｃ（ＣＣ工場）の受電装置３１Ｃの設置場所に出向いて、その車両２２Ｃに搭載されている蓄電装置２３Ｃと受電装置３１Ｃとが電気的に接続されている状態を例示している。図示は省略するが、電力供給者２０Ａも、電力需給仲介装置１０の提供情報伝達手段１４から提供情報の伝達を受けた後、電力供給者２０Ａの車両２２Ａを電力需要者３０Ａ（ＡＡ小学校）の受電装置３１Ａの設置場所に移動させて、その車両２２Ａに搭載されている蓄電装置２３Ａの蓄電電力を電力需要者３０Ａに供給することができる。
【００３０】
以上のように、本発明に係る電力需給仲介装置１０では、提供情報決定手段１３が、記憶手段１５に記憶している電力需要情報及び電力供給条件を対比することで、一の電力供給者２０から受け付けた電力供給条件を満足する電力需要情報を抽出し、提供情報伝達手段１４が、その抽出された電力需要情報を提供情報として電力供給者２０へ伝達する。つまり、電力を供給できる電力供給者２０に対して、電力の供給を受けたい複数の電力需要者３０の中から、その電力供給者２０自身の電力供給条件に合う電力需要情報を提示してきた電力需要者３０を紹介することができる。加えて、電力供給者２０は、電力需要者３０の電力受入場所（即ち、受電装置３１の設置場所）に蓄電装置２３を持参して又は車両２２に蓄電装置２３を搭載した状態で出向くことで、電力供給者２０から電力需要者３０に電力を供給できる。つまり、電力供給者２０と電力需要者３０との間に送配電線は不要となるため、電力の需給を柔軟に行うことができる。
【００３１】
次に、本発明に係る電力需給仲介装置１０の運用形態例について説明する。
第１の運用形態例として、電力需要者３０が電力需給仲介装置１０に電力需要情報を入力したタイミングで、電力供給者２０に対して電力需要情報（提供情報決定手段１３が決定した提供情報）が伝達される形態がある。この場合、提供情報決定手段１３は、需要情報受付手段１２が電力需要情報を受け付けると、記憶手段１５に記憶されている電力供給条件に関する情報の中からその電力需要情報によって満足される電力供給条件に関する情報を抽出して、その電力需要情報を提供情報として決定し、提供情報伝達手段１４は、提供情報決定手段１３が電力需要情報によって満足されるとして抽出した電力供給条件に関する情報を入力した電力供給者２０に対して提供情報を伝達する。つまり、電力供給者２０が予め電力需給仲介装置１０の記憶手段１５に自身の電力供給条件を記憶させておき、その後に、自身の電力供給条件を満足する電力需要情報が記憶手段１５に記憶された時点で、その電力需要情報の伝達を受けるような形態である。
【００３２】
第２の運用形態例として、電力供給者２０が電力需給仲介装置１０に電力供給条件を入力したタイミングで、電力供給者２０に対して電力需要情報（提供情報決定手段１３が決定した提供情報）が伝達される形態がある。この場合、提供情報決定手段１３は、供給条件受付手段１１が特定の電力供給者２０から電力供給条件に関する情報を受け付けると、記憶手段１５に記憶されている電力需要情報の中からその電力供給条件を満足する電力需要情報を抽出して、その電力需要情報を提供情報として決定し、提供情報伝達手段１４は、特定の電力供給者２０に対して提供情報を伝達する。つまり、電力需要者３０が予め電力需給仲介装置１０の記憶手段１５に電力需要情報を記憶させておき、その後に、電力供給者２０が電力供給条件を電力需給仲介装置１０に提供して記憶手段１５に記憶させた時点で、その条件を満足する電力需要情報の伝達を電力供給者２０が受けるような形態である。
【００３３】
以上のような電力需給仲介装置１０を利用する電力供給者２０及び電力需要者３０は、見知らぬ者同士である場合、或いは、既知の間柄である場合など、何れであってもよい。
例えば、電力需要者３０Ａ（ＡＡ小学校）に電力供給者２０Ａ又はその親族などが通っていることで所定の電力供給者２０Ａと所定の電力需要者３０Ａとが既知の間柄であり、電力供給者２０Ａが、電力を電力需要者３０Ａ（ＡＡ小学校）に供給することを既に決めているならば、電力供給者２０Ａは、電力供給条件においてその電力需要者３０Ａの名称（ＡＡ小学校）を指定すればよい。尚、電力供給者２０Ａは、電力需要者３０Ａの受電装置３１Ａの設置場所に、車両２２Ａを使用して又は車両２２Ａを使用せずに通う者であるので、本発明に係る電力需給仲介装置１０を利用しなくても、電力供給者２０Ａは電力需要者３０Ａの受電装置３１Ａの設置場所へ行く度に蓄電装置２３に蓄電されている電力を電力需要者３０Ａへ渡すことは可能である。しかし、電力供給者２０Ａが電力需要者３０Ａの受電装置３１Ａの設置場所へ行ったタイミングが、電力需要者３０Ａにとって電力の供給を受けるには好ましくないタイミングである可能性もある。ところが本発明に係る電力需給仲介装置１０を利用すると、電力供給者２０Ａは、電力需要者３０Ａの電力需要情報が電力供給者２０Ａの電力供給条件を満足することを確認した上で、即ち、電力需要者３０Ａの都合（即ち、電力需要情報）を確認した上で、電力需要者３０Ａの受電装置３１Ａの設置場所に行くことができる。その結果、電力需要者３０Ａにとって電力の供給を受けるのに好ましいタイミングで、電力供給者２０Ａから電力需要者３０Ａに対して電力の供給が行われることになる。
【００３４】
ここで、所定の電力供給者２０が、所定の電力需要者３０の受電装置３１の設置場所に通う者であるには、特に電力供給を目的とすることなく別の目的で、所定の電力供給者２０が所定の電力需要者３０の受電装置３１の設置場所へ頻度高く（例えば、ウイークデイに毎日、週に数回、或いは、祝祭日は常に）通う者であることがある。例えば、特定の家庭（電力供給者２０）について、子供の学校（電力需要者３０）への通学を親が車両２２を使用して送り迎えするような場合、特定のマーケット（電力需要者３０）へ家庭（電力供給者２０）の主婦が週に数回買い物に行くような場合、ガソリンスタンド（電力需要者３０）へ車両２２の使用者（電力供給者２０）が定期的にガソリンを購入するために訪れる場合などを意味している。
【００３５】
このような状況では、本願にいうところの電力供給者２０と電力需要者３０との間で、頻繁に当該電力供給者２０の車両２２による又は車両２２によらないコミュート（行き来）が成立しているのであるが、このような電力供給者２０の移動を、本願における電力供給の好適な機会として利用することができる。従って、電力需給仲介装置１０においては、電力供給者２０が頻繁に行き来している場所（電力需要者３０となりうる候補）を供給条件受付手段１１に対して入力していくことで、この入力に基づいて提供情報決定手段１３がそれら電力供給者２０が頻繁に行き来している場所での電力需要に関する情報が上記提供情報となるか否かを決定することができる。
【００３６】
＜別実施形態＞
＜１＞
上記実施形態では、電力需要者３０が、小学校、スーパーマーケット、工場である場合を説明したが、それらは単に例示目的で記載したものであり、電力需要者３０が別の者（例えば、住宅など）であってもよい。
【００３７】
＜２＞
上記実施形態では、電力供給条件及び電力需要情報に含まれる項目について図１に例示して説明したが、それらは単に例示目的で記載したものであり、電力供給条件及び電力需要情報に含まれる項目は図１に例示したものと異なっていてもよい。
【産業上の利用可能性】
【００３８】
本発明は、電力供給者が電力の供給先を容易に決定できる電力需給仲介装置に利用できる。
【符号の説明】
【００３９】
１０  電力需給仲介装置
１１  供給条件受付手段
１２  需要情報受付手段
１３  提供情報決定手段
１４  提供情報伝達手段
１５  記憶手段
２０（２０Ａ、２０Ｂ、２０Ｃ）  電力供給者
２１（２１Ａ、２１Ｂ、２１Ｃ）  発電装置
２２（２２Ａ、２２Ｃ）  車両
２３（２３Ａ、２３Ｂ、２３Ｃ）  蓄電装置
３０（３０Ａ、３０Ｂ、３０Ｃ）  電力需要者
３１（３１Ａ、３１Ｂ、３１Ｃ）  受電装置
【図１】
2014187796.tif 000003